(57)【要約】【課題】建物の換気設備プランを作成することができるとともに、建物の換気に関する確認申請書を作成することができる換気設備プラン作成システムを得ること。【解決手段】コンピュータが、入力された縦横実寸法を画像間取図に当て嵌める縮尺設定部と、部屋の機能・種別情報、部屋の容積及び通気方向の情報を入力して必要換気量を求める換気量演算部と、前記部屋の機能・種別情報、通気方向及び必要換気量に基づいて前記画像間取図に送風機を含む換気部品を選択して配置する換気部品配置部と、配置された前記換気部品間を接続するように前記画像間取図にダクトを配置するダクト配置部と、前記ダクトの長さを前記画像間取図から読取るとともに、前記ダクト及び換気部品の仕様から圧力損失値を演算する圧力損失演算部と、前記圧力損失値と前記送風機の機外静圧値とを比較して該送風機の適否を判定する判定部と、を備える。【選択図】        図２
2008033796.tif 000002
【特許請求の範囲】
【請求項１】
制御部及び記憶部を備えるコンピュータと、
建物の原間取図を前記コンピュータに読込む画像データ読込手段と、
読込まれた前記原間取図を画像間取図として表示するディスプレイと、
前記画像間取図の範囲を指定し、指定した範囲の縦横実寸法を入力する入力手段と、
を備え、前記コンピュータは、
入力された前記縦横実寸法を前記画像間取図に当て嵌める縮尺設定部と、
部屋の機能・種別情報、部屋の容積及び通気方向の情報を入力して必要換気量を求める換気量演算部と、
前記部屋の機能・種別情報、通気方向及び必要換気量に基づいて前記画像間取図に送風機を含む換気部品を選択して配置する換気部品配置部と、
配置された前記換気部品間を接続するように前記画像間取図にダクトを配置するダクト配置部と、
前記ダクトの長さを前記画像間取図から読取るとともに、前記ダクト及び換気部品の仕様から圧力損失値を演算する圧力損失演算部と、
前記圧力損失値と前記送風機の機外静圧値とを比較して該送風機の適否を判定する判定部と、
を備えることを特徴とする換気設備プラン作成システム。
【請求項２】
前記コンピュータは、前記ディスプレイに作成された換気設備プランの静圧−風量特性曲線を表示するとともに、該静圧−風量特性曲線上に、前記圧力損失値と前記送風手段の機外静圧値を表示する曲線表示部をさらに備えることを特徴とする請求項１に記載の換気設備プラン作成システム。
【請求項３】
前記換気部品配置部は、複数の基本ダクトパターンを記憶した前記記憶部から、一つの基本ダクトパターンを読出し、該一つの基本ダクトパターンに前記換気部品の追加又は変更を行ない、修正ダクトパターンを作成することを特徴とする請求項１又は２に記載の換気設備プラン作成システム。
【請求項４】
前記記憶部に、前記修正ダクトパターンを基本ダクトパターンとして記憶させることを特徴とする請求項３に記載の換気設備プラン作成システム。
【請求項５】
前記圧力損失演算部は、前記入力部から入力された前記ダクトの曲げ情報を加味して前記圧力損失値を演算することを特徴とする請求項１〜４のいずれか一つに記載の換気設備プラン作成システム。
【請求項６】
前記コンピュータは、圧力損失係数が小さい最適換気部品を選択する最適部品選択部をさらに備え、前記圧力損失演算部は、前記ダクト及び選択された前記最適換気部品を組合せた圧力損失値を演算することを特徴とする請求項１〜５のいずれか一つに記載の換気設備プラン作成システム。
【請求項７】
前記判定部が、前記圧力損失値が前記送風機の機外静圧値よりも大きいと判定すると、前記最適部品選択部が、前記圧力損失値が前記送風機の機外静圧値よりも小さくなる換気部品を選択することを特徴とする請求項６に記載の換気設備プラン作成システム。
【請求項８】
前記判定部が、前記圧力損失値が前記送風機の機外静圧値よりも小さいと判定した後に、前記コンピュータに接続されたプリンターに確認申請書を印刷させることを特徴とする請求項１〜７のいずれか一つに記載の換気設備プラン作成システム。
【発明の詳細な説明】
【技術分野】
【０００１】
本発明は、コンピュータにより建物の換気設備プランを作成する換気設備プラン作成システムに関するものである。
【背景技術】
【０００２】
従来、電気設備プラン作成支援システムとして、住宅間取図をコンピュータに取込んで、表示画面に表示させた後、そこに表示された住宅間取図の各部屋毎に、予め準備された設計設備プランマスタファイルに登録された電気設備の商品コードを選択的に割付けて入力することによって、選択された商品コードに相当する電気設備の品目、価格などの必要な項目を含んだ価格合計表、設計プラン見積書、注文書などの取引書類を自動的に作成するようにしたものがある（例えば、特許文献１参照）。
【０００３】
上記の電気設備プラン作成支援システムによれば、コンピュータの表示画面を見ながら、次のような手順で必要な情報を入力するだけで、合計価格表、設計プラン見積書、注文書などの取引書類が自動的に作成される。メニュー画面から施主ラベルの作成画面を選び、建築面積、施主の住所等を入力し、住宅間取図を画像データ読取走査手段によってコンピュータに取込むと、取込まれた住宅間取図は表示画面に表示される。この状態で、住宅間取図に示された区分スペースに、部屋情報テーブルに記憶させた居間、寝室、和室、洋室などの部屋の機能、種別情報を入力する。
【０００４】
推奨すべき電気設備を列挙したリストが、住宅間取図の側方にウインドウ表示されるので、必要に応じて、このリストから電気設備を選択し、マウスなどで、電気設備の名称をクリックし、各部屋に割付けて入力する。このようにして、表示画面に表示された住宅間取図の各部屋に対して、電気設備を割付けて入力して行けば、価格情報テーブルから選択された商品コードに応じた標準価格が順次読取られ、取引書類作成テーブルに書き込まれたデータに書き込まれ、最終的には、所定様式の価格合計表、設計プラン見積書、注文書などが自動的に作成される。
【０００５】
【特許文献１】特開平８−６９４９７号公報
【発明の開示】
【発明が解決しようとする課題】
【０００６】
しかしながら、上記の従来の電気設備プラン作成支援システムは、各部屋に設置された換気部品がダクトにより接続され、換気を行なうと圧力損失が生ずるような換気設備プランを作成することはできないという問題があった。また、建物の換気に関する確認申請書を作成することもできないという問題があった。
【０００７】
本発明は、上記に鑑みてなされたものであって、建物の換気設備プランを作成することができるとともに、建物の換気に関する確認申請書を作成することができる換気設備プラン作成システムを得ることを目的とする。
【課題を解決するための手段】
【０００８】
上述した課題を解決し、目的を達成するために、本発明は、制御部及び記憶部を備えるコンピュータと、建物の原間取図を前記コンピュータに読込む画像データ読込手段と、読込まれた前記原間取図を画像間取図として表示するディスプレイと、前記画像間取図の範囲を指定し、指定した範囲の縦横実寸法を入力する入力手段と、を備え、前記コンピュータは、入力された前記縦横実寸法を前記画像間取図に当て嵌める縮尺設定部と、部屋の機能・種別情報、部屋の容積及び通気方向の情報を入力して必要換気量を求める換気量演算部と、前記部屋の機能・種別情報、通気方向及び必要換気量に基づいて前記画像間取図に送風機を含む換気部品を選択して配置する換気部品配置部と、配置された前記換気部品間を接続するように前記画像間取図にダクトを配置するダクト配置部と、前記ダクトの長さを前記画像間取図から読取るとともに、前記ダクト及び換気部品の仕様から圧力損失値を演算する圧力損失演算部と、前記圧力損失値と前記送風機の機外静圧値とを比較して該送風機の適否を判定する判定部と、を備えることを特徴とする。
【発明の効果】
【０００９】
この発明によれば、送風機の送風能力の可否を判定して、建物の換気設備プランを容易に作成することができ、建物の換気に関する確認申請書も作成することができる換気設備プラン作成システムが得られるという効果を奏する。
【発明を実施するための最良の形態】
【００１０】
以下に、本発明にかかる換気設備プラン作成システムの実施の形態を図面に基づいて詳細に説明する。なお、この実施の形態によりこの発明が限定されるものではない。
【００１１】
実施の形態
図１は、本発明の換気設備プラン作成システム１の実施の形態を示す全体構成図であり、図２は、図１に示すコンピュータ３のブロック構成図であり、図３は、換気設備プラン作成システムのプラン作成工程を示す全体フローチャートであり、図４は、図３のステップＳ１１３の処理の詳細を示すフローチャートであり、図５は、ディスプレイの顧客情報入力画面を示す図であり、図６−１は、建物の１階間取図であり、図６−２は、建物の２階間取図であり、図７は、建物間取図をコンピュータに取込んで縮尺設定を行なうディスプレイの表示画像を示す図であり、図８は、基本ダクトパターンを示すディスプレイの表示画像を示す図であり、図９は、１階画像間取図にダクト等を配置したディスプレイの表示画像を示す図であり、図１０は、図９に示す１階画像間取図に分技部材を追加したディスプレイの表示画像を示す図であり、図１１は、作成された換気設備プランの静圧−風量特性曲線を示すディスプレイの表示画像を示す図である。
【００１２】
図１及び図２に示すように、換気設備プラン作成システム１は、ディスプレイ４を備えるコンピュータ３と、原間取図としての建物の間取図１５をコンピュータ３に読込む画像データ読込手段としてのスキャナー７と、読込んだ間取図１５の画像データを記憶するコンピュータ３の記憶部３１（図２参照）と、コンピュータ３に建物の縦横実寸法などを入力するキーボード５及びマウス６などから成る入力手段８と、種々のファイルを格納しているプランマスタファイル９と、作成された換気設備プラン及び確認申請書１３を記録紙に印刷するためのプリンター１１とを備えている。
【００１３】
建物の間取図１５には、図６−１及び図６−２に示すように、２階建ての場合、第１間取図としての１階間取図１５ａと、第２間取図としての２階間取図１５ｂとがある。
【００１４】
プランマスタファイル９には、送風機、ダクトなどの仕様データが格納された換気部品ファイルと、部屋の機能・種別などのデータ（情報）が格納された部屋情報ファイルと、換気量の演算式が格納された換気量演算ファイルと、基本ダクトパターンのデータ（情報）が格納されたダクトパターンファイルと、圧力損失の演算式が格納された圧力損失演算ファイルと、確認申請書を作成する確認申請書ファイルと、が格納されている。
【００１５】
コンピュータ３は、図２に示すように、ＣＰＵなどで成る制御部３０と、前述の記憶部３１と、リビングなどの部屋の機能・種別情報、部屋の容積及び通気方向の情報に基づいて必要換気量を求める換気量演算部３２と、読込まれた１階、２階間取図１５ａ、１５ｂの縮尺を調整して入力された縦横実寸法を当て嵌める縮尺設定部３３と、損失係数が小さい最適換気部品を選択する最適部品選択部３５と、作成された換気設備プランの静圧−風量特性曲線をディスプレイ４に表示するとともに、該静圧−風量特性曲線上に圧力損失値Ｐｒと送風機の機外静圧値Ｐｂとを表示する曲線表示部３７とを備えており、スキャナー７により読込まれた１階、２階画像間取図１１５ａ（図７参照）、１１５ｂ（図示せず）をそれぞれ第１ウインドウ、第２ウインドウに表示するとともに、１階、２階間取図１５ａ、１５ｂを同一の縮尺に表示するようになっている。
【００１６】
図２に示すように、コンピュータ３は、さらに、ディスプレイ４に表示された画像間取図１１５ａ、１１５ｂに、送風機を含む換気部品を選択して配置する換気部品配置部４１と、配置された換気部品間を接続するように画像間取図１１５ａ、１１５ｂにダクトを配置するダクト配置部４３と、換気方式を選択するとともに、ダクトの長さを画像間取図１１５ａ、１１５ｂから読取り、選択されたダクト及び送風機を含む換気部品の仕様データから圧力損失値を演算する圧力損失演算部４５と、演算された圧力損失値と送風機の機外静圧値とを比較し、選択された送風機の適否を判定する判定部４７と、を備えている。
【００１７】
次に、実施の形態の換気設備プラン作成システム１による換気設備プラン作成工程を、図５〜図１１を参照しつつ、図３及び図４に示すフローチャートに沿って説明する。
【００１８】
建物の新築や改築に伴なう換気設備プランの作成に際し、操作者は、図５に示すように、コンピュータ３のディスプレイ４に表示された枠内に顧客登録情報１０４を入力する。即ち、邸名、隣接地区、気密性能、電力周波数等を入力して記憶部３１に記憶させる(ステップＳ１０１)。次に、図６−１に示す１階間取図１５ａ及び図６−２に示す２階間取図１５ｂを、それぞれスキャナー７で読込み記憶部３１に記憶させる(ステップＳ１０３)。
【００１９】
次に、図７に示すように、コンピュータ３のディスプレイ４に１階の画像間取図１１５ａを表示した状態で、マウス６により画像間取図１１５ａの範囲を指定し、キーボード５から指定した範囲の縦横実寸法を入力する(ステップＳ１０５)。このステップにより、画像間取図１１５ａに実寸法を当て嵌める。また、ディスプレイ４に、実寸法の基準となるグリット線(基準線)１１４を縦横に所定間隔で碁盤目状に表示させ、グリット線１１４の間隔を調整し、間隔の調整に併せて画像間取図１１５ａを縮小又は拡大し、画像間取図１１５ａに縦横実寸法を当て嵌める(ステップＳ１０７)。
【００２０】
図７に示すように、ディスプレイ４には、アイコン１０４ｍとして、部屋の機能・種別を一覧表示させた部屋リスト及び通気矢印マークが表示されており、操作者は、マウス６により部屋の機能・種別及び通気矢印マークのアイコン１０４ｍをドラックして移動してリリースすることにより各部屋の機能・種別及び通気方向を入力し、さらに、各部屋の容積を入力し（天井高さを入力して画像間取図の床面積から容積を求めるようにしてもよい）、また、２４時間換気又は局所換気を選択入力し、図７に示す画像間取図１１５ａを完成させる(ステップＳ１０９)。
【００２１】
図２に示す換気量演算部３２は、天井高さ×床面積（部屋の容積）及び換気回数から、必要換気量を演算し、必要換気量値を記憶部３１に記憶させると共に、ディスプレイ４に表示する(ステップＳ１１１)。
【００２２】
次に、操作者は、換気部品配置部４１を動作させて、ディスプレイ４上で、第１種〜第４種換気のうち何れか一つを選択すると共に、ダクトを用いた換気システム等を選択(ステップＳ１１３)した後、図８に示す基本ダクトパターンを読み出してディスプレイ４上に表示させる。ここで、操作者は、アイコン１０４ｍをマウス６によりクリックすることにより換気ユニット（送風機）の機種を選定し(ステップＳ２０１)、マウス６により、４種類の基本ダクトパターンのうち、例えば、枝配管方式及びＡ方式にチェックマークを付けて選択してダクトパターンを選定すると共に、図９に示すように、ディスプレイ４の画像間取図１１５ａ上にダクトパターンを重ねて表示する(ステップＳ２０３)。
【００２３】
図９に示すように、画像間取図１１５ａ上に重ねられたダクトパターンには、送風機を内蔵した換気ユニット１６３、分岐部材１６１ｊ，１６３ｊ、排気グリル１７１，１７２，給気グリル１７４，１７５、室内端末を成す給気フード１８３、室外端末を成す排気フード１８５、ダクト１５１ｄ〜１５８ｄが選択されて配置される。
【００２４】
次に、操作者は、ダクトパターンの変更があるか否かを判断し(ステップＳ２０５)、変更があるとき、例えば、マウス６により分岐部材のアイコン１０４ｍをドラックして、図１０に示すように、分岐部材１６２ｊ及び排気グリル１７３を追加すると、換気部品配置部４１により、自動的に分岐部材１６２ｊと排気グリル１７２との間にダクト１５９ｄが追加され、分岐部材１６２ｊと排気グリル１７３との間にダクト１６０ｄが追加される。以上のようにして得られた修正ダクトパターンを、基本ダクトパターンとして記憶部３１に記憶させる(ステップＳ２０７)。このようにして、換気方式の選択及びダクトの配管を容易に行なうことができる。また、作成された換気設備プランが配置された画像間取図１１５ａを、必要に応じてプリンター１１により印刷することができる。
【００２５】
換気部品配置部４１は、部屋の機能・種別情報、必要換気量値により推奨する換気部品、すなわち、適当な直径のダクト１５１ｄ〜１６０ｄ、給気フード１８３、排気フード１８５、給気グリル１７４，１７５、排気グリル１７１〜１７３、分岐部材１６１ｊ〜１６３ｊを選択し、記憶部３１に記憶させる。修正ダクトパターンを基本ダクトパターンとして記憶部３１に記憶させるので、基本ダクトパターンを増やすことができ、ダクトパターンの選択の余地が広がる。
【００２６】
ダクト配置部４３は、各部品間に配設するダクト１５１ｄ〜１６０ｄの長さを、換気ユニット１６３、分岐部材１６１ｊ〜１６３ｊ、給気フード１８３、排気フード１８５、給気グリル１７４，１７５、排気グリル１７１〜１７３の位置に基づいて自動的に演算して記憶部３１に記憶させる。
【００２７】
次に、操作者は、キーボード５からダクト１５１ｄ〜１６０ｄの曲げ情報を入力して記憶部３１に記憶させる(ステップＳ２１１)。圧力損失演算部４５は、排気グリル１７１〜１７３、給気グリル１７４，１７５、排気フード１８５、給気フード１８３、ダクト１５１ｄ〜１６０ｄの直径、長さ、摩擦係数及び局部圧力損失係数に基づいて、圧力損失値Ｐｒを演算して記憶部３１に記憶させる。曲げ情報を加味して圧力損失値Ｐｒを演算するので、演算値の精度が高い。
【００２８】
判定部４７は、圧力損失値Ｐｒと換気ユニット１６３に内蔵された送風機の機外静圧値Ｐｂとを比較し、送風機の送風能力を判定して換気が適切か否かを判断し、曲線表示部３７は、図１１に示すように、ディスプレイ４上に、静圧（第１軸）−風量（第２軸）特性曲線を表示し、さらに、静圧−風量特性曲線上に、圧力損失値Ｐｒと送風機の機外静圧値Ｐｂを表示する(ステップＳ２１３)。それ故、圧力損失値Ｐｒと送風機の機外静圧値Ｐｂとの関係を視覚により容易に確認することができる。
【００２９】
判定部４７は、圧力損失値Ｐｒが送風機の機外静圧値Ｐｂより小さくなり、換気が適切であると判定すると、ディスプレイ４上に確認申請書を表示し、操作者が、アイコン１０４ｍの印刷メニューをクリックすると、プリンター１１により確認申請書１３が印刷される(ステップＳ２１３)。それ故、建物の確認申請書１３を簡易に作成することができる。
【００３０】
一方、判定部４７の判定結果が否であれば、最適部品選択部３５が、マスタファイル９の換気部品ファイルから最適の換気部品を選択し、上記のステップＳ２１３を実行する。さらに、最小圧力損失値の場合の風量を求めてディスプレイ４に表示してもよい。換気部品ファイルから損失係数が小さい最適の換気部品を選択するので、圧力損失値Ｐｒに関する最適設計が容易となる。
【００３１】
上述の実施の形態では、住宅の間取図１５ａ，１５ｂを、スキャナー７によりコンピュータ３に読み込んだが、電子データ(ＤＸＦ形式など)の間取図をコンピュータ３に読み込んでもよい。
【産業上の利用可能性】
【００３２】
以上のように、本発明にかかる換気設備プラン作成システムは、住宅などの換気設備の設計に有用である。
【図面の簡単な説明】
【００３３】
【図１】本発明の換気設備プラン作成システムの実施の形態を示す全体構成図である。
【図２】図１に示すコンピュータのブロック構成図である。
【図３】換気設備プラン作成システムのプラン作成工程を示す全体フローチャートである。
【図４】図３のステップＳ１１３の処理の詳細を示すフローチャートである。
【図５】ディスプレイの顧客情報入力画面を示す図である。
【図６−１】建物の１階間取図である。
【図６−２】建物の２階間取図である。
【図７】建物間取図をコンピュータに取込んで縮尺設定を行なうディスプレイの表示画像を示す図である。
【図８】基本ダクトパターンを示すディスプレイの表示画像を示す図である。
【図９】１階画像間取図にダクト等を配置したディスプレイの表示画像を示す図である。
【図１０】図９に示す１階画像間取図に分技部材を追加したディスプレイの表示画像を示す図である。
【図１１】作成された換気設備プランの静圧−風量特性曲線を示すディスプレイの表示画像を示す図である。
【符号の説明】
【００３４】
１  換気設備プラン作成システム
３  コンピュータ
４  ディスプレイ
５  キーボード（入力手段）
６  マウス
７  スキャナー
８  画像データ読込手段
９  プランマスタファイル
１１  プリンター
１３  確認申請書
１５  間取図（原間取図）
１５ａ  １階間取図
１５ｂ  ２階間取図
３０  制御部
３１  記憶部
３２  換気量演算部
３３  縮尺設定部
３５  最適部品選択部
３７  曲線表示部
４１  換気部品配置部
４３  ダクト配置部
４５  圧力損失演算部
４７  判定部
【図１】
2008033796.tif 000003
【図２】
2008033796.tif 000004
【図３】
2008033796.tif 000005
【図４】
2008033796.tif 000006
【図５】
2008033796.tif 000007
【図６−１】
2008033796.tif 000008
【図６−２】
2008033796.tif 000009
【図７】
2008033796.tif 000010
【図８】
2008033796.tif 000011
【図９】
2008033796.tif 000012
【図１０】
2008033796.tif 000013
【図１１】
2008033796.tif 000014